(57)【特許請求の範囲】
【請求項１】
一方の側壁から他方の側壁へ掛け渡される棚であって、一方の側壁から他方の側壁までの寸法の半分以上の長さを有する下方の棚板と、該下方の棚板に仕切板を介して載置されて重なり合う部分を有し、他方の側壁へ達する長さ寸法に設定された上方の棚板とから成り、上下の棚板の重なり合う部分の上方の棚板の端部分には下向きの仕切板が設けられていると共に、上下の棚板の重なり合う部分の下方の棚板の端部分には上向きの仕切板が設けらていることを特徴とする間口調整機能付き棚。
【請求項２】
上下の棚板のそれぞれ側壁面と接する側の端部には、端板が設けられている請求項１に記載の間口調整機能付き棚。
【請求項３】
下方の棚板は、上向きの仕切板と端板の間の背面側に背板が設けられている請求項２に記載の間口調整機能付き棚。
【請求項４】
上方の棚板は、下向きの仕切板と端板の間の正面側に開閉扉が取り付けられている請求項２又は３に記載の間口調整機能付き棚。
【発明の詳細な説明】
【０００１】
【発明の属する技術分野】
本発明は、トイレ等の対向する壁面どうしの間口寸法が比較的に短い室内等に隙間なく設置することのできる棚の技術に関するものである。
【０００２】
【従来の技術】
トイレ等の対向する壁面どうしの間口寸法が比較的に短い室内等にあって、対向する壁面どうしの間に棚を形成する場合、各家庭におけるトイレ等の間口寸法が異なるので棚と壁面との間に隙間ができ、物が落下する等の問題があった。そのため、従来にあっては、図７に示す特開２０００−２７９３５１号公報に記載された先願技術のように、二つのキャビネット１Ａ，１Ｂをそれぞれ左右の壁面２Ａ，２Ｂへ取り付け、これらのキャビネット１Ａ，１Ｂの下端面に平板３を取り付けて連結することで、キャビネット１Ａ，１Ｂ内へ収納することに加えて両キャビネット１Ａ，１Ｂ間の平板３上にも物を載置できるようにしている。
【０００３】
【発明が解決しようとする課題】
ところが、この先願技術にあっては、キャビネット１Ａ，１Ｂの下端面に平板３を取り付けただけであるので、キャビネット１Ａ，１Ｂに対して異種部材である平板３を明らかに間に合わせ的に後から付加した構造を呈し、外観上の見栄えが悪いという印象を与え、商品価値を低下させるという欠点があった。
【０００４】
【課題を解決するための手段】
本発明は従来の前記課題に鑑みてこれを改良除去したものであって、上下の二枚の棚板から成る簡単な構成で間口調整を可能とする棚を提供せんとするものである。
【０００６】
本発明が採用した請求項１の手段は、一方の側壁から他方の側壁へ掛け渡される棚であって、一方の側壁から他方の側壁までの寸法の半分以上の長さを有する下方の棚板と、該下方の棚板に仕切板を介して載置されて重なり合う部分を有し、他方の側壁へ達する長さ寸法に設定された上方の棚板とから成り、上下の棚板の重なり合う部分の上方の棚板の端部分には下向きの仕切板が設けられていると共に、上下の棚板の重なり合う部分の下方の棚板の端部分には上向きの仕切板が設けらていることを特徴とする間口調整機能付き棚である。
上下の棚板の重なり合う部分の端部に仕切板を設けることにより、仕切板どうしの間で囲まれた領域が収納庫として機能し、便利である。
【０００７】
本発明が採用した請求項２の手段は、上下の棚板のそれぞれ側壁面と接する側の端部には、端板が設けられている請求項１に記載の間口調整機能付き棚である。
端板を設けることにより、壁面に対してのビス等による棚板の固定が容易に行えるという利点がある。
【０００８】
本発明が採用した請求項３の手段は、下方の棚板は、上向きの仕切板と端板の間の背面側に背板が設けられている請求項２に記載の間口調整機能付き棚である。
背板を設けることにより、背面側も統一されたデザインによる一体感が得られ、極めて好都合である。
【０００９】
本発明が採用した請求項４の手段は、上方の棚板は、下向きの仕切板と端板の間の正面側に開閉扉が取り付けられている請求項２又は３に記載の間口調整機能付き棚である。
開閉扉を設けることにより、棚板に載置した収納物を外部から直接見えないようにすることができる。
【００１０】
【発明の実施の形態】
以下に、本発明の構成を図面に示す発明の実施の形態に基づいて説明すると次の通りである。なお、従来の場合と同一符号は同一部材である。図１の図（Ａ）及び図（Ｂ）は本発明外の第１の実施の形態に係る棚４及び５を示す正面図である。これらの棚４及び５は、それぞれ上下の棚板６及び７とから成る。図（Ａ）に示す棚４は、下方の棚板７の右端側が壁面２Ｂに当接し、左端側に上向きの仕切板８が形成されている。そして、上方の棚板６の左端側は壁面２Ａに当接しており、壁面２Ｂ側へ向かう途中が前記仕切板８の上端側に当接載置されている。一方、図（Ｂ）に示す棚５は、下方の棚板７の右端側が壁面２Ｂに当接している。またこの棚５の上方の棚板８の左端側は壁面２Ａに当接しており、右端側に下向きの仕切板９が形成されており、その下端面が下方の棚板７の上面側に当接して載置されている。このように上方の棚板６は、仕切板８又は９を介して下方の棚板７へ当接載置されているので、下方の棚板７に対して段差を有している。上下の棚板６及び７の壁面に対する取り付けは、図示しないブラケットを用いて上下の棚板６及び７のそれぞれを背面側の壁面１０に取り付けてもよく、また下方の棚板７をブラケットを用いて背面側の壁面１０へ取り付け、該下方の棚板７に対して上方の棚板６を連結するようにしてもよい。
【００１１】
このような棚４及び５であれば、壁面２Ａ，２Ｂとの間の間口寸法に応じて棚の寸法を調整することができる。そのため、壁面２Ａ，２Ｂとの間に隙間が形成されることがなく、棚４及び５へ載置した物が落下する等のことはない。また上下の棚板６及び７が同種の部材で構成されたものであり、棚全体としての統一性があり、外観上の見栄えもよい。
【００１２】
図２は本発明の第２の実施の形態に係る棚１１を示す正面図である。同図に示す如く、この実施の形態にあっては、上方の棚板１２の右端側に下向きの仕切板１３を設け、下方の棚板１４の左端側に上向きの仕切板１５を設けている。このように上下の棚板１２及び１４に、下向きと上向きの仕切板１３及び１５を形成することにより、これらの仕切板１３及び１５どうしの間に収納庫１６を形成することが可能である。
この実施の形態の場合の棚板１２及び１４の取り付け要領は、前記第１の実施の形態の棚板６及び７の場合と同じである。また壁面２Ａ，２Ｂとの間の間口寸法に応じて棚１１の寸法を調整することができる。そのため、棚板１２及び１４と壁面２Ａ，２Ｂとの間に隙間が形成されることがなく、棚板へ載置したものが落下する等のことはない。更に、上下の棚板１２及び１４が同種の部材で構成されたものであり、棚全体としての統一性があり、外観上の見栄えがよいことも同じである。
【００１３】
図３は本発明の第３の実施の形態に係る棚１７を示す正面図である。同図に示す如く、この第３の実施の形態では、上下の棚板１８及び１９のそれそれの両端側に仕切板２０Ａ，端板２０Ｂ及び端板２１Ａ，仕切板２１Ｂを設け、下方の棚板１９に背板２２を設けている。棚板の取り付けは、先ず下方の棚板１９の端板２１Ａを左側壁面２Ａへ密着させると共に、背板２２を背面側の壁面１０へ密着させ、ビス２３等でそれぞれの壁面へ固定する。そして、上方の棚板１８の端板２０Ｂを右側の壁面２Ｂへ密着させると共に仕切板２０Ａの下端面を下方の棚板１９の上面側へ当接載置し、端板２０Ｂを壁面２Ｂにビス２３等で固定すればよい。これにより、上方の棚板１８の左側仕切板２０Ａと、下方の棚板１９の右側仕切板２１Ｂとの間に、収納庫２４を形成することが可能である。
【００１４】
この第３の実施の形態では、端板２０Ｂ及び２１Ａと背板２２を利用して棚板１８及び１９を左右の壁面２Ａ，２Ｂ及び背面側の壁面１０へ固定しており、固定作業が容易である。また背板２２があるので、棚全体としての統一感は前記第１及び第２の実施の形態の場合よりも優れている。棚１７の寸法を間口寸法に併せて調整することができることはも前記各実施の形態の場合と同じであり、棚板と左右の壁面２Ａ，２Ｂとの間に隙間が形成されることがなく、物が落下しないことは前記各実施の形態の場合と同じである。
【００１５】
図４乃至図６は本発明の第４の実施の形態に係るものであり、図４は施工後の棚３２の全体を示す正面図である。図５は上方の棚板２５を示すものであり、図（Ａ）は平面図、図（Ｂ）は正面図、図（Ｃ）は右側面図である。図６は下方の棚板２６を示すものであり、図（Ａ）は平面図、図（Ｂ）は正面図、図（Ｃ）は右側面図である。上方の棚板２５は、左右側の端部に下向きの仕切板２７Ａ，端板２７Ｂが設けられており、また正面側には左右に開く扉２８Ａ，２８Ｂが開閉自在に取り付けられている。扉２８Ａ，２８Ｂは、仕切板２７Ａ，端板２７Ｂの内側面との間にヒンジ（図示せず）が取り付けられている。一方、下方の棚板２６は、左右側の端部に上向きの端板２９Ａ，仕切板２９Ｂが設けられており、背面側には背板３０が取り付けられている。
【００１６】
この第４の実施の形態の棚３２は、上下の棚板２５及び２６の左右の壁面２Ａ，２Ｂ及び背面側の壁面１０への取り付けは、前記第３の実施の形態の場合と同じ要領で行えばよい。この実施の形態においても、上方の棚板２５の左側仕切板２７Ａと、下方の棚板２６の右側仕切板２９Ｂとの間に収納庫３１を形成することができる。そして、該収納庫３１は、開閉扉２８Ａ，２８Ｂによって通常は収納物が外部から見えないようになされており、必要に応じて開閉扉２８Ａ，２８Ｂを開閉して取り出すことができる。その他の作用効果については、前記第３の実施の形態の場合と同じである。
【００１７】
ところで、本発明は上述した実施の形態に限定されるものではなく、適宜の変更が可能である。例えば、上方の棚板と下方の棚板の取り付けは、ブラケットで行ってもよく、ビス等の締結具を用いてもよい。
【００１９】
【発明の効果】
請求項１記載の本発明にあっては、上下の棚板の重なり合う部分の端部分にはそれぞれ下向きの仕切板と上向きの仕切板とを設けるようにしている。仕切板を設けることにより、仕切板どうしの間で囲まれた領域が収納庫として機能し、便利である。
【００２０】
請求項２記載の本発明にあっては、上下の棚板のそれぞれ側壁面と接する側の端部には、端板を設けており、これにより、壁面に対してのビス等による棚板の固定が容易に行えるという利点がある。
【００２１】
請求項３記載の本発明にあっては、下方の棚板に背板を設けることにより、背面側も統一されたデザインによる一体感が得られ、極めて好都合である。
【００２２】
請求項４記載の本発明にあっては、上方の棚板に開閉扉を取り付けている。これにより、棚板に載置した収納物を外部から直接見えないようにすることができる。
【図面の簡単な説明】
【図１】本発明外の第１の実施の形態に係るものであり、図（Ａ）は下方の棚板に仕切板を設けた場合の正面図、図（Ｂ）は上方の棚板に仕切板を設けた場合の正面図である。
【図２】本発明の第２の実施の形態に係る棚の正面図である。
【図３】本発明の第３の実施の形態に係る棚の正面図である。
【図４】本発明の第４の実施の形態に係る棚の正面図である。
【図５】本発明の第４の実施の形態に係る棚の上方の棚板を示すものであり、図（Ａ）は平面図、図（Ｂ）は正面図、図（Ｃ）は右側面図である。
【図６】本発明の第４の実施の形態に係る棚の下方の棚板を示すものであり、図（Ａ）は平面図、図（Ｂ）は正面図、図（Ｃ）は右側面図である。
【図７】従来技術を示す正面図である。
【符号の説明】
２Ａ，２Ｂ…壁面、４，５，１１，１７，３２…棚、６，１２，１８，２５…上方の棚板、７，１４，１９，２６…下方の棚板、８，９，１３，１５，２０Ａ，２１Ｂ，２７Ａ，２９Ｂ…仕切板、１０…背面側の壁面、１６，２４，３１…収納庫、２０Ｂ，２１Ａ，２７Ｂ，２９Ａ…端板、２２，３０…背板
【図１】
0004096160.tif 000002
【図２】
0004096160.tif 000003
【図３】
0004096160.tif 000004
【図４】
0004096160.tif 000005
【図５】
0004096160.tif 000006
【図６】
0004096160.tif 000007
【図７】
0004096160.tif 000008